【事件の表示】
　特許第３１０８６７６号「田植機の苗植付装置」の請求項１乃至３に係る特許に対する特許異議の申立てについて、次のとおり決定する。
【結　論】
　訂正を認める。
　特許第３１０８６７６号の請求項１乃至３に係る特許を取り消す。
【理　由】
１．手続の経緯
　
　本件特許第３１０８６７６号の請求項１乃至３に係る発明についての出願は、平成４年２月２１日に出願された特願平４−３３９１２号の一部を平成１０年３月２４日に新たな特許出願とした特願平１０−７５２０２号であって、平成１２年９月８日にその発明について特許権の設定登録がなされ、その後、その特許について、三菱農機株式会社から特許異議の申立てがなされ、取消しの理由が通知され、その指定期間内である平成１３年１０月９日（後日取下げ）に訂正請求がなされた後、再度の取消しの理由が通知され、その指定期間内である平成１４年１月２３日に訂正請求がなされたものである。
　
２．訂正の適否についての判断
　
２−１．訂正の内容
（１）訂正事項ａ
　特許請求の範囲の請求項１の「左右方向に沿って横長の横フレーム（７）を配置して、」（本件特許公報（以下、訂正事項ｂ乃至ｉについて同じ）第１欄第２〜３行）を、
「苗のせ台（２）に設けられたベルト式の縦送り装置（２０）の下方に、左右方向に沿って横長の横フレーム（７）を配置して、」と訂正する。
（２）訂正事項ｂ
　特許請求の範囲の請求項１の「複数の植付ケース（８）を、互いに平行状で後向きに、」（第１欄第５〜６行）を、
「複数の植付ケース（８）を、前記横フレーム（７）の右及び左の端部よりも内方側に右及び左の最外側の植付ケース（８）が位置し且つ互いに平行状で後向きになるように、」と訂正する。
（３）訂正事項ｃ
　特許請求の範囲の請求項２の「左右方向に沿って横長の横フレーム（７）を配置して、」（第２欄第２〜３行）を、
「苗のせ台（２）に設けられたベルト式の縦送り装置（２０）の下方に、左右方向に沿って横長の横フレーム（７）を配置して、」と訂正する。
（４）訂正事項ｄ
　特許請求の範囲の請求項２の「複数の植付ケース（８）を、互いに平行状で後向きに、」（第２欄第５〜６行）を、
「複数の植付ケース（８）を、前記横フレーム（７）の右及び左の端部よりも内方側に右及び左の最外側の植付ケース（８）が位置し且つ互いに平行状で後向きになるように、」と訂正する。
（５）訂正事項ｅ
　明細書の段落【０００６】の「左右方向に沿って横長の横フレームを配置して、」（第４欄第１０行）を、
「苗のせ台に設けられたベルト式の縦送り装置の下方に、左右方向に沿って横長の横フレームを配置して、」と訂正する。
（６）訂正事項ｆ
　明細書の段落【０００６】の「複数の植付ケースを、互いに平行状で後向きに、」（第４欄第１２〜１３行）を、
「複数の植付ケースを、横フレームの右及び左の端部よりも内方側に右及び左の最外側の植付ケースが位置し且つ互いに平行状で後向きになるように、」と訂正する。
（７）訂正事項ｇ
　明細書の段落【０００７】の「左右方向に沿って横長の横フレームを配置して、」（第４欄第２１行）を、
「苗のせ台に設けられたベルト式の縦送り装置の下方に、左右方向に沿って横長の横フレームを配置して、」と訂正する。
（６）訂正事項ｈ
　明細書の段落【０００７】の「複数の植付ケースを、互いに平行状で後向きに、」（第４欄第２３〜２４行）を、
「複数の植付ケースを、横フレームの右及び左の端部よりも内方側に右及び左の最外側の植付ケースが位置し且つ互いに平行状で後向きになるように、」と訂正する。
（７）訂正事項ｉ
　明細書の【符号の説明】の「１４クラッチ操作具」（第１０欄第３６行）の次に、
「２０縦送り装置」を加入する。
　
２−２．訂正の目的の適否、新規事項の有無及び拡張・変更の存否
　上記訂正事項ａ及びｃは、本件特許の請求項１及び２に係る発明の構成に欠くことができない事項である「左右方向に沿って横長の横フレームを配置して、」を、これに含まれる事項である「苗のせ台に設けられたベルト式の縦送り装置の下方に、左右方向に沿って横長の横フレームを配置して、」に変更するものであるから、特許請求の範囲の減縮を目的とした明細書の訂正に該当する。
　上記訂正事項ｂ及びｄは、本件特許の請求項１及び２に係る発明の構成に欠くことができない事項である「複数の植付ケースを、互いに平行状で後向きに、」を、これに含まれる事項である「複数の植付ケースを、横フレームの右及び左の端部よりも内方側に右及び左の最外側の植付ケースが位置し且つ互いに平行状で後向きになるように、」に変更するものであるから、特許請求の範囲の減縮を目的とした明細書の訂正に該当する。
　上記訂正事項ｅ乃至ｉは、上記訂正事項ａ乃至ｄと整合を図るものであるから、明りょうでない記載の釈明を目的とした明細書の訂正に該当する。
　そして上記横フレームを苗のせ台に設けられたベルト式の縦送り装置の下方に配置する点及び上記複数の植付ケースを、上記横フレームの右及び左の端部よりも内方側に右及び左の最外側の上記植付ケースが位置するように該横フレームの外側面に片持ち状に連設する点は、願書に添付された明細書又は図面に記載されているから、上記訂正事項ａ乃至ｉは、新規事項の追加に該当せず、実質上特許請求の範囲を拡張し、又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　
３−１．本件特許に係る発明
　上記のとおり平成１４年１月２３日付けの訂正が認められるから、本件特許の請求項１乃至３に係る特許（以下、「本件発明１」乃至「本件発明３」という。）は、訂正明細書の特許請求の範囲に記載されたとおりの下記のものである。
「【請求項１】苗のせ台（２）に設けられたベルト式の縦送り装置（２０）の下方に、左右方向に沿って横長の横フレーム（７）を配置して、苗を田面に植え付ける植付機構（３）を後部に備えて苗のせ台（２）を往復横送り駆動する伝動機構とは別体に形成された複数の植付ケース（８）を、前記横フレーム（７）の右及び左の端部よりも内方側に右及び左の最外側の植付ケース（８）が位置し且つ互いに平行状で後向きになるように、前記横フレーム（７）の外側面に片持ち状に連設させるべく構成すると共に、前記複数の植付ケース（８）に動力を伝達する伝動軸（１０）を、前記横フレーム（７）の外部で前記複数の植付ケース（８）に亘って架設し、前記伝動軸（１０）の動力を前記植付機構（３）に伝達及び遮断自在なクラッチ機構（１１）を、前記横フレーム（７）の外部で且つ前記植付ケース（８）の内部で、前記伝動軸（１０）の位置に配置してある田植機の苗植付装置。
【請求項２】苗のせ台（２）に設けられたベルト式の縦送り装置（２０）の下方に、左右方向に沿って横長の横フレーム（７）を配置して、苗を田面に植え付ける植付機構（３）を後部に備えて苗のせ台（２）を往復横送り駆動する伝動機構とは別体に形成された複数の植付ケース（８）を、前記横フレーム（７）の右及び左の端部よりも内方側に右及び左の最外側の植付ケース（８）が位置し且つ互いに平行状で後向きになるように、前記横フレーム（７）の外側面に片持ち状に連設させるべく構成すると共に、前記横フレーム（７）の右側部及び左側部に支持フレーム（１２）を立設して、前記苗のせ台（２）の上部を前記支持フレーム（１２）に左右方向に往復横送り自在に支持させ、前記複数の植付ケース（８）に動力を伝達する伝動軸（１０）を、前記横フレーム（７）の外部で前記複数の植付ケース（８）に亘って架設し、前記伝動軸（１０）の動力を前記植付機構（３）に伝達及び速断自在なクラッチ機構（１１）を、前記横フレーム（７）の外部で且つ前記植付ケース（８）の内部で、前記伝動軸（１０）の位置に配置して、前記クラッチ機構（１１）を人為的に操作自在なクラッチ操作具（１４）を、前記支持フレーム（１２）に備えてある田植機の苗植付装置。
【請求項３】植付ケース（８）を横フレーム７（７）に対して直接に取り付けて支持させてある請求項１又は２記載の田植機の苗植付装置。」
　
３−２．刊行物に記載された発明
（１）当審が通知した平成１３年１１月１４日付けの取消しの理由（以下、「取消しの理由」という。）に引用された特開昭５２−３４２１２号公報（以下、「刊行物１」という。）には以下の事項が記載されている。
「植付機構２１を装備した植付ケース２２・・を複数個横方向に並置するとともに、各植付ケース２２・・の入力軸２５・・を横方向に水平軸支し、これら入力軸２５・・を互いに一直線状に連動連結し、且つ、所定の入力軸２５端部に動力を伝達する機構２６を配置してあることを特徴とする多条植え田植装置。」（特許請求の範囲）、
「前記田植装置３は、第３図参照のように、上下に循環回動駆動される４対の植付爪２０・・等からなる植付機構２１を装備した二つの植付ケース２２，２２が前記連結用枠体１２に連結された状態で横方向に並置されて構成されるものであって、下部フロート２３・・を圃場面に沿って滑動させながら横往復移動する苗のせ台２４・・の載置苗を８対の植付爪２０・・で順次圃場に植付けるように構成されている。また、前記植付ケース２２・・には、第４図に示すように入力軸２５・・が夫々横方向に向けて水平軸支され、且つ、夫々の入力軸２５・・が一直線状に沿って配置されるとともに、両ケース２２・・間には、前記回転軸７と連動連結されて動力を受入れ、且つ、前記入力軸２５・・の端部に動力を伝達する機構２６が配置されている。この伝達機構２６について詳しく説明すると、前記回転軸７と連動連結される縦軸２７、前記入力軸２５の端部と連結される横軸２８及び中間伝動横軸２９が前記枠体１２に連結支持されるミッションケース３０に夫々軸支されており、これら各軸２７，２８，２９に軸支されるギヤを介して以下に述べる様に動力伝達が行なわれる。すなわち、縦軸２７→ベベルギヤ３１→横軸２８に遊嵌軸支される一対ギヤ３２→中間伝動横軸２９に固着のギヤ３３→中間伝動横軸２９→中間伝動横軸２９にスプライン連結された２段シフトギヤ３４→横軸２８に遊嵌軸支される固定２段ギヤ３５→固定２段ギヤ３５及び横軸２８にスプライン連結された可動クラッチ片３６との対向部に形成された噛合いクラッチ３７→横軸２８→入力軸２５・・。」（第２頁左下欄第８行〜同頁右下欄第１９行）、
「前記横軸２８と入力軸２５，２５との連結部には軸心方向の位置決め微調節が可能なスプライン継手５３，５３が介在されている。」（第３頁左上欄第１１〜１３行）、
「実施例においては、両植付ケース２２，２２の間に伝達機構２６を配置したが、例えば片側植付ケース２２の所定の入力軸２５の端部のみに伝達機構２６を連結し、入力軸２５，２５を夫々軸継手構造を介して連結しても、所要の動力伝達が行なえるものとなる。」（第３頁左下欄第１０〜１５行）、
「実施例においては、各植付ケース２２が４対の植付爪２０・・からなる植付機構２１を装備するのを例示したが、２対の植付爪２０からなる植付機構２１等を装備するものに構成してもよい。以上要するに本発明による多条植え田植装置は植付機構２１を装備した植付ケース２２・・を複数個横方向に並置するとともに、各植付ケース２２・・の入力軸２５・・を横方向に水平軸支し、これら入力軸２５・・を互いに一直線状に連動連結し、且つ、所定の入力軸２５端部に動力を伝達する機構２６を配置してあることを特徴とする。即ち、多条植えでありながら植付ケースを複数に構成したので、全体を横巾の長い一個の植付ケースに構成した場合に比して各植付ケース２２は軽小で強度も小さいものですむとともに、各ケースごとに内部機構の組付けができ組立てが容易になり、また各植付ケース２２は比較的小さいものとなるからケース自体及び内装部品の加工精度を上げることも容易となる。そして、このような植付ケース２２・・を並置して各ケース２２・・の水平入力軸２５・・を一直線状に連動連結して所定の入力軸端部に動力伝達機構２６を配置するだけで、各植付機構２１・・を簡単に駆動することができ、その結果、所望数の多条植えを行う田植装置を植付ケース並びに伝動機構の構造が簡単なものとして構成し得るに至つたのである。」（第３頁右下欄第７行〜第４頁左上欄第１５行）、
「第１〜３図に記載された、乗用型田植機の後部の態様」（第１〜３図）及び
「第４図に記載された、田植装置における植付ケースと動力伝達装置との連結部の態様」（第４図）。
　上記摘記された事項からみて、刊行物１に記載された発明は、さらに以下の構成を備えていると認められる。
(i)上記苗のせ台を横往復移動させる伝動機構が、上記植付ケースに備えられる（第２頁左下欄第８行〜同頁右下欄第１９行及び第４図参照）、
(ii)複数の上記植付ケースが、互いに平行状で後向きになるように、上記連結用枠体の外側面に片持ち状に直接連設される（第２頁左下欄第８〜１６行並びに第２及び３図参照）、
(iii)複数の上記植付ケースの上記入力軸及び上記ミッションケースに軸支された上記横軸が、上記連結用枠体の外部に配置され、かつ互いに一直線状に連動連結される（第２頁左下欄第８行〜同頁右下欄第１９行、第３頁右下欄第１２〜１９行並びに第２及び４図参照）、
(iv) 上記可動クラッチ片及び上記噛合いクラッチは、動力を上記植付機構に伝達及び遮断自在であると共に、該可動クラッチ片及び該噛合いクラッチは、上記連結用枠体の外部で且つ上記ミッションケースの内部で、該ミッションケースに軸支された上記横軸の位置に配置される（第２頁左下欄第１７行〜同頁右下欄第１９行並びに第２及び４図参照）、
(v)上記苗のせ台の上部が、上記連結用枠体に立設された部材により横往復移動自在に支持される（第２頁左下欄第８〜１６行並びに第１及び３図参照）。
　以上のとおりであるから、刊行物１には下記の発明が記載されている。
「苗のせ台の下方に、横方向に沿って連結用枠体を配置して、植付機構を装備してミッションケースとは別体に形成された複数の植付ケースを、互いに平行状で後向きになるように、前記連結用枠体の外側面に片持ち状に連設させるべく構成すると共に、前記連結用枠体に部材を立設して、前記苗のせ台の上部を該部材に横往復移動自在に支持させ、前記複数の植付ケースの入力軸及び前記ミッションケースに軸支された横軸を、前記連結用枠体の外部に配置し、かつ互いに一直線状に連動連結し、動力を上記植付機構に伝達及び遮断自在な可動クラッチ片及び噛合いクラッチを、前記連結用枠体の外部で且つ前記ミッションケースの内部で、前記横軸の位置に配置してある多条植え田植装置であって、前記苗のせ台を横往復移動させる伝動機構を、前記植付ケースに備え、前記植付ケースを前記連結用枠体に対して直接に取り付けて支持させてある多条植え田植装置。」
（２）取消しの理由に引用された実公昭５５−４７２８６号公報（以下、「刊行物２」という。）には以下の事項が記載されている。
「多条植え型式の田植機における各植付けミッション１……を中間伝動ケース２と各植付け装置３……の苗載せ台横送り用伝動ケース４……とに分割し、かつ、前記中間伝動ケース２を植付け装置３……の並設方向に沿って同一断面形状の長尺筒状ケースで構成すると共に、そのー側面には、本機側から動力を受けて駆動回転する駆動軸挿設用の孔２０を穿設する一方、他側面には、前記各植付けミッション１……側に動力を取り出す伝動軸２１……挿設用の孔２２……を複数個穿設し、また、上記孔２０，２２……の周り及び苗載せ横送り用伝動ケース４を設置する面には、ボルトにより各ケースを連続するための小孔２９……を穿設して構成してあることを特徴とした多条植え型式田植機の植付け部伝動構造。」（実用新案登録請求の範囲）、
「本案の中間伝動ケースは、一条単位で製作した筒状ケース部分を値付け条数に見合った数だけ連結して中間伝動ケースを構成するものではなく、長い筒状ケースを植付け条数に見合う長さで切断して中間伝動ケースを構成するものであるが故に、この中間伝動ケースとして要求される機械的強度を十分に確保することができるのである。」（第３欄第４〜１１行）、
「機体後方下方から前方斜め上方に彎曲形成した左右横方向に往復移動自在な苗載せ台７」（第３欄第１４〜１６行）、
「このような乗用型田植機に於いて、第２図，第３図に示すように、前記各植付けミッション１……をボルトを介して連結可能で、かつ、本機側から動力を受けて駆動回転する駆動軸１５の一端部に装着したべベルギヤ１６及び植付けミッション１側に動力を伝達するべベルギヤ５……とに咬合可能なべベルギヤ１７……を有する中間伝動用回転軸１８を架設してある中間伝動ケース２と、前記苗載せ台７を左右横方向に往復移動させる横送り軸１９を架設してある苗載せ台横送り用伝動ケース４とを分割構成するとともに、前記中間伝動ケース２は、アルミ等の押出成形にて製作された植付け装置３……の並設方向に沿って同一断面形状の長い筒状ケースを八条植えに見合う長さで切断して構成し、かつ、この中間伝動ケース２の一側面には前記駆動軸１５挿設用の孔２０を穿設する一方、他側面には、前記各植付けミッション１……側に動力を取り出す伝動軸２１……挿設用の孔２２……を穿設し、上記孔２０，２２……の周り及び苗載せ台横送り用伝動ケース４を設置する面には、ボルトにより各ケースを連設するための小孔２９……を適宜穿設している。」（第３欄第２９行〜第４欄第１４行）及び
「第１〜３図に記載された、多条植え型式田植機の植付け部伝動構造の態様」（第１〜３図）。
　上記摘記された事項からみて、刊行物２には下記の発明が記載されている。
「苗載せ台の下方に、左右横方向に沿って中間伝動ケースを配置して、植付爪、椀杆及び揺動杆を後部に備えて苗載せ台横送り用伝動ケースとは別体に形成された複数の植付けミッションを、互いに平行状で後向きになるように、前記中間伝動ケースの外側面に片持ち状に連設させるべく構成する多条植え型式田植機の要部。」
（３）取消しの理由に引用された実願昭６２−１８３８３７号（実開平１−８７６１０号）のマイクロフィルム（以下、「刊行物３」という。）には以下の事項が記載されている。
「第１図は、本案植付部カバー（Ａ）を取付けた植付部の側面図、第２図はその平面図である。（８５）はセンターケースであって、その両側からは植付伝動ケースに亘って伝動軸ケース（８６）が架設されている。」（第１４頁第８〜１２行）及び
「第２図に記載された、本案植付部カバー（Ａ）を取付けた植付部の平面図の態様」。
　上記摘記された事項からみて、刊行物３には下記の発明が記載されている。
「植付センターケースの両側から植付伝動ケースに亘って伝動軸ケースを架設し、前記植付伝動ケースの反植付センターケース側の側面から前記伝動軸ケースの延長上に部材を延設した乗用田植機の植付部。」
（４）取消しの理由に引用された実願昭５９−８９６０号（実開昭６０−１２１７２１号）のマイクロフィルム（以下、「刊行物４」という。）には以下の事項が記載されている。
「（１）．走行機体に苗植爪付き植付伝動ケースを複数個並設し、該植付伝動ケース上面において、左右一対の支持アーム体にて苗載台を左右摺動自在に支持する一方、前記両支持アーム体を左右に継ぐ横部材にはレバー台を上向き延長させて設け、該レバー台には前記各植付伝動ケースごとにその苗植爪への動力伝達を継断するユニットクラッチ操作レバーを設けて成る多条植乗用型田植機。」(実用新案登録請求の範囲)、
「該苗植装置（９）は、伝動ケース（１１）、この伝動ケース（１１）の左右両側面にパイプ状支持部材（１２）を介して横方向に適宜間隔で取付く植付伝動ケース（１３）（１３）′（１３）・・・上端が走行機体（１）に近付くように傾斜した苗載台（１６）とからなり、各植付伝動ケース（１３）（１３）の後端左右側及び植付伝動ケース（１３）′の一側には、各々先端に苗植爪を備えた植付機構（１７）が設けられ、その各苗植爪が苗載台（１６）下端の苗取り出し口と圃場面との間を上下揺動するように構成されている。」（第２頁第１７行〜第３頁第９行）、
「前記苗載台（１６）は、・・・前記左右両植付伝動ケース（１３）（１３）の側面から上向き立設した左右一対の支持アーム体（２１）（２１）の先端に転子（２２）を突設し、該転子（２２）に苗載台（１６）裏面中途部に設けたレール（２０）を左右摺動自在に被嵌する。前記左右一対の支持アーム体（２１）（２１）の上端近傍には、左右長手の横部材（２３）を連結し、該横部材（２３）には左右に適宜隔てて上向き突設するブラケット（２４）（２４）を苗載台（１６）の裏面に沿わせてその上端近傍まで延長させ、該両ブラケット（２４）（２４）の上端に各々レバー台（２５）を設け、各レバー台（２５）には後述するユニットクラッチ（２６）を継断するための操作レバー（２７）をピン（２８）にて上下回動自在に枢支する。」（第３頁第１３行〜第４頁第９行）、
「前記苗植装置（９）におけるパイプ状支持部材（１２）（１２）内には中間爪軸（４５）を挿入軸支し、該中間爪軸（４５）と各植付伝動ケース（１３）（１３）′内に基部に設けた伝動軸（５２）とを連結し、該各伝動軸（５２）上に設けたスプロケット（４６）から各植付機構（１７）にチェーン（４７）を介して動力伝達することにより、各植付機構（１７）が中間爪軸（４５）の一回転につき一回上下揺動するように構成する」（第６頁第２〜１０行）、
「前記各植付伝動ケース（１３）（１３）′における伝動軸（５２）には前記各スプロケット（４６）に噛合うユニットクラッチ（２６）をばね（５４）付勢して設け、該ユニットクラッチ（２６）と前記スプロケット（４６）との間には先端切欠き部を挿入させた操作軸（５５）を配設し、該操作軸（５５）の適宜角回動によりその先端切欠き部で前記ユニットクラッチ（２６）を前記スプロケット（４６）からばね（５４）力に抗して離すように構成し、前記操作軸（５５）の基端を角植付伝動ケース（１３）（１３）′から苗載台（１６）の裏面方向に突出させ、各操作軸（５５）の基端のリンク（５６）と前記各レバー台（２５）におけるユニットクラッチ操作レバー（２７）とをワイヤー（５７）にて略直線的に連結することにより、操作レバー（２７）の回動操作で各植付伝動ケース（１３）（１３）′（１３）ごとに植付機構（１７）における苗植爪への動力伝達を継断できるように構成するものである。・・・全ての操作レバー（２７）を第３図の一点鎖線で示すように下向き回動させた状態で苗植装置（９）に動力伝達すると植付機構（１７）は一斉に上下動し、本実施例では５条に沿って苗植えできる。そして、畦際等で苗植条数を減少させたいときには、所定箇所の操作レバー（２７）を第３図の実線で示すように上向き回動させてその位置で保持すれば、当該箇所の苗植爪のみが停止できる。」（第６頁第１７行〜第８頁第５行）及び
「第３〜５図に記載された、乗用型田植機の態様」（第３〜５図）。
　上記摘記された事項からみて、刊行物４には下記の発明が記載されている。
「植付機構が後端に設けられた複数の植付伝動ケースを、互いに平行状で後向きになるように併設すると共に、左右両側の前記植付伝動ケースの側面に左右一対の支持アーム体を立設して、前記苗載せ台の中途部を前記左右一対の支持アーム体に左右摺動自在に支持させ、各前記植付伝動ケース内に基部が設けられた伝動軸を中間爪軸を介して互いに連結し、前記各植付機構に動力伝達するスプロケットに噛合うユニットクラッチを各前記植付伝動ケースにおける前記伝動軸に設け、該ユニットクラッチを継断する操作レバーを、前記左右一対の支持アーム体に横部材及びブラケットを介して設けられたレバー台に枢支してある多条植乗用型田植機の苗植付装置。」
（５）取消しの理由に引用された実願昭６１−４００５８号（実開昭６２−１５３８０６号）のマイクロフィルム（以下、「刊行物５」という。）には以下の事項が記載されている。
「本考案の実施例を図面に基づいて説明すると・・・前記植付部５は伝動ケース７，左右に往復動する苗載台８，支持腕９及びリンク１０で下部に取付けたフロート１１及び後部に装着した複数の植付杆１２等で構成されている。前記苗載台８には苗の滑落方向にマット苗が２枚半は搭載できるようになっている。伝動ケース７の前部にはブラケツト１３，１３で取付けた横方向に長い筒状ステー１４を設け・・・伝動ケ一ス７の上方に前高後低に傾斜して設けた苗載台８は、その背面上部寄りの下方からマット苗２枚相当分の長さ位置に上部レール１６が、下部寄りに下部レール１７がそれぞれ横方向に取付けてあり、又両レール１６，１７間の中程には横ステー１８が横方向に取付けてある。そして、苗載台８の下部レール１７は伝動ケース７の上部に設けたスライドピース１９に支持され、又、上部レール１６は前記筒状ステー１４に横方向間隔をもたせて立設した左右一対の苗載台支持フレーム２１、２１先端のスライドピース２２に支持されており、更に、上記横ステー１８は、横ステー１８の下方において伝動ケース７に左右方向摺動自在に軸支したスライドバー２３の左右両端部に、取付板２４，２４を介して連結されている。又、上記スライドバー２３は、伝動ケース７内で回動するスクリューシャフトに連動連結されており、これにより苗載台８は横方向に往復動するようになっている。」（第５頁第１７行〜第７頁第１３行）及び
「第１〜３図に記載された、乗用田植機の苗植付部の態様」（第１〜３図）。
　上記摘記された事項からみて、刊行物５には下記の発明が記載されている。
「伝動ケースの前部にブラケットで取付けた横方向に長い筒状のステーを設け、左右方向に往復動する苗載台の上部レールが該筒状ステーに横方向間隔をもたせて立設した左右一対の苗載台支持フレーム先端のスライドピースに支持されている苗植付部。」
　
３−３．対比・判断
（１）本件発明１について
　本件発明１と刊行物１に記載された発明を比較すると、刊行物１に記載された発明の「苗のせ台」、「連結用枠体」、「植付機構」、「苗のせ台を横往復移動させる伝動機構」、「植付ケース」及び「多条植え田植装置」は、各々、本件発明１の「苗のせ台」、「横フレーム」、「苗を田面に植え付ける植付機構」、「苗のせ台を往復横送り駆動する伝動機構」、「植付ケース」及び「田植機の苗植付装置」に相当する。
　刊行物１に記載された発明の「複数の植付ケースの入力軸及びミッションケースに軸支された横軸」は、互いに一直線状に連動連結されて上記複数の植付ケースに動力を伝達しているから、本件発明１の「複数の植付ケースに動力を伝達する伝動軸」に相当する。
　そして刊行物１に記載された発明の「可動クラッチ片及び噛合いクラッチ」は、動力を上記植付機構に伝達及び遮断自在であって、上記横フレームの外部で、上記伝動軸の位置に配置してある点において本件発明１の「クラッチ機構」に対応する。
　してみると本件発明１と刊行物１に記載された発明は、「左右方向に沿って横長の横フレームを配置して、苗を田面に植え付ける植付機構を後部に備えて複数の植付ケースを、互いに平行状で後向きになるように、前記横フレームの外側面に片持ち状に連設させるべく構成すると共に、前記複数の植付ケースに動力を伝達する伝動軸を、前記横フレームの外部で前記複数の植付ケースに亘って架設し、動力を前記植付機構に伝達及び遮断自在なクラッチ機構を、前記横フレームの外部で、前記伝動軸の位置に配置してある田植機の苗植付装置。」の発明である点で一致し、（１）前者は、上記横フレームを、上記苗のせ台に設けられたベルト式の縦送り装置の下方に配置しているのに対し、後者は、上記苗のせ台にベルト式の縦送り装置が設けられておらず、上記横フレームを単に上記苗のせ台の下方に配置している点、（２）前者は、上記植付ケースが上記苗のせ台を往復横送り駆動する伝動機構とは別体に形成されているのに対し、後者は、該伝動機構が上記植付ケースに備えられている点、（３）前者は、上記複数の植付ケースを、上記横フレームの右及び左の端部よりも内方側に右及び左の最外側の植付ケースが位置するように、上記横フレームに連設させるのに対し、後者は、当該構成を有しない点及び（４）前者は、上記クラッチ機構が、上記伝動軸の動力を上記植付機構に伝達及び遮断自在であって、上記植付ケースの内部に配置されているのに対し、後者は、上記クラッチ機構が、動力を上記伝動軸を介して上記植付機構に伝達及び遮断自在であって、上記植付ケースとは別体に形成されたミッションケースの内部に配置されている点で相違する。
　そこで上記相違点について検討する。
　相違点（１）について、田植機の苗植付装置において、苗のせ台にベルト式の縦送り装置を設け、該縦送り装置の下方に植付ケースの前半部を配置することは、周知である（例えば特開平２−２０３７０６号公報参照）。そして刊行物１に記載された発明に上記周知技術を適用すれば、上記相違点（１）に係る本件発明１の構成となることは、明らかである。したがって上記相違点（１）は、上記周知技術に基づいて当業者が容易に想到し得る事項である。
　相違点（２）について、本件発明１と刊行物２に記載された発明を比較すると、刊行物２に記載された発明の「苗載せ台」、「中間伝動ケース」、「植付け爪、椀杆及び揺動杆」、「苗載せ台横送り用伝動ケース」、「植付けミッション」及び「多条植え型式田植機の要部」は、各々、本件発明１の「苗のせ台」、「横フレーム」、「苗を田面に植え付ける植付機構」、「苗のせ台を往復横送り駆動する伝動機構」、「植付ケース」及び「田植機の苗植付装置」に相当する。そして刊行物１に記載された発明と刊行物２に記載された発明は「田植機の苗植付装置」という同一の技術分野に属しているから、前者に後者を適用することは当業者が容易になし得る事項である。してみれば、刊行物１に記載された発明において、相違点（２）に係る本件発明１の構成を採用することは、刊行物２に記載された発明に基づいて当業者が容易に想到し得る事項である。
　相違点（３）について、本件発明１と刊行物３に記載された発明を比較すると、刊行物３に記載された発明の「植付伝動ケース」及び「乗用田植機の植付部」は、各々、本件発明１の「植付ケース」及び「田植機の苗植付装置」に相当する。そして本件発明１の「横フレーム」と刊行物３に記載された発明の上記伝動軸ケースは、複数の上記植付ケースを一体に結合する点で共通している。
　刊行物１に記載された発明と刊行物３に記載された発明は「田植機の苗植付装置」という同一の技術分野に属しているから、前者に後者を適用することは当業者が容易になし得る事項である。してみれば刊行物１に記載された発明において、上記横フレームの右及び左の端部を右及び左の最外側の上記植付ケースよりも外方側に位置させることは、刊行物３に記載された発明に基づいて当業者が容易に想到し得る事項ということができるから、刊行物１に記載された発明において上記相違点（３）に係る本件発明１の構成を採用することは、刊行物３に記載された発明に基づいて当業者が容易に想到し得る事項である。
　相違点（４）について、本件発明１と刊行物４に記載された発明を比較すると、刊行物４に記載された発明の「植付機構」、「植付伝動ケース」及び「苗植装置」は、各々、本件発明１の「苗を田面に植え付ける植付機構」、「植付ケース」及び「田植機の苗植付装置」に相当する。さらに刊行物４に記載された発明の「各植付伝動ケース内に基部が設けられた伝動軸を中間爪軸を介して互いに連結し」は、それによって該伝動軸及び該中間爪軸は前記複数の植付伝動ケースに動力を伝達する、該複数の植付伝動ケースに亘って架設された軸体となるから、本件発明１の「複数の植付ケースに動力を伝達する伝動軸を、・・・複数の植付ケースに亘って架設し」に相当し、してみれば刊行物４に記載された発明の「植付機構に動力伝達するスプロケットに噛合うユニットクラッチ」及び「ユニットクラッチを各植付伝動ケースにおける伝動軸に設け」は、各々、本件発明１の「伝動軸の動力を植付機構に伝達及び遮断自在なクラッチ機構」、「クラッチ機構を、・・・植付ケースの内部で、伝動軸の位置に配置してある」に相当する。
　そして、刊行物１に記載された発明と刊行物４に記載された発明は「田植機の苗植付装置」という同一の技術分野に属しているから、前者に後者を適用することは当業者が容易になし得る事項である。したがって、刊行物１に記載された発明において相違点（４）に係る本件発明１の構成を採用することは、刊行物４に記載された発明に基づいて当業者が容易に想到し得る事項である。
　さらに、本件発明１の奏する効果に刊行物１乃至４に記載された発明の奏する効果の総和以上の顕著なものは認められない。
　よって本件発明１は、刊行物１乃至４に記載された発明に基づいて当業者が容易に発明をすることができたものである。
　なお上記横フレームの右及び左の端部よりも内方側に右及び左の最外側の植付ケースを位置させれば、該右及び左の最外側の植付ケースの障害物との接触を少なくして、同右及び左の最外側の植付ケースの破損を少なくすることができることは自明である。また、機械の重量バランスが良好となるように該機械の構成要素を配置することは、当業者が当然に考慮する事項である。
　さらに特許権者は、平成１４年１月２３日付けの特許異議意見書において、「刊行物１に記載された発明の「連結用枠体」は、本件発明１の「横フレーム」に相当しない」旨の主張をしている。しかしながら、先に検討したとおり、刊行物１に記載された発明の「植付機構」は本件発明１の「苗を田面に植え付ける植付機構」に相当し、刊行物１に記載された発明の「植付ケース」は、該植付機構を後部に備えることからみて、本件発明１の「植付ケース」に相当する。してみれば刊行物１に記載された発明の「連結用枠体」は、複数の上記植付ケースが連接されることからみて、本件発明１の「横フレーム」に相当するから、特許権者の上記主張はこれを採用できない。
（２）本件発明２について
　本件発明２と刊行物１に記載された発明を比較すると、刊行物１に記載された発明の「苗のせ台」、「連結用枠体」、「植付機構」、「苗のせ台を横往復移動させる伝動機構」、「植付ケース」、「部材」及び「多条植え田植装置」は、各々、本件発明２の「苗のせ台」、「横フレーム」、「苗を田面に植え付ける植付機構」、「苗のせ台を往復横送り駆動する伝動機構」、「植付ケース」、「支持フレーム」及び「田植機の苗植付装置」に相当する。
　刊行物１に記載された発明の「複数の植付ケースの入力軸及びミッションケースに軸支された横軸」は、互いに一直線状に連動連結されて上記複数の植付ケースに動力を伝達しているから、本件発明２の「複数の植付ケースに動力を伝達する伝動軸」に相当する。
　そして刊行物１に記載された発明の「可動クラッチ片及び噛合いクラッチ」は、動力を上記植付機構に伝達及び遮断自在であって、上記横フレームの外部で、上記伝動軸の位置に配置してある点において本件発明２の「クラッチ機構」に対応する。
　してみると本件発明２と刊行物１に記載された発明は、「左右方向に沿って横長の横フレームを配置して、苗を田面に植え付ける植付機構を後部に備えて複数の植付ケースを、互いに平行状で後向きになるように、前記横フレームの外側面に片持ち状に連設させるべく構成すると共に、前記横フレームに支持フレームを立設して、前記苗載せ台の上部を前記支持フレームに左右方向に往復横送り自在に支持させ、前記複数の植付ケースに動力を伝達する伝動軸を、前記横フレームの外部で前記複数の植付ケースに亘って架設し、動力を前記植付機構に伝達及び遮断自在なクラッチ機構を、前記横フレームの外部で、前記伝動軸の位置に配置してある田植機の苗植付装置。」の発明である点で一致し、（１）前者は、上記横フレームを、上記苗のせ台に設けられたベルト式の縦送り装置の下方に配置しているのに対し、後者は、上記苗のせ台にベルト式の縦送り装置が設けられておらず、上記横フレームを単に上記苗のせ台の下方に配置している点、（２）前者は、上記植付ケースが上記苗のせ台を往復横送り駆動する伝動機構とは別体に形成されているのに対し、後者は、該伝動機構が上記植付ケースに備えられている点、（３）前者は、上記複数の植付ケースを、上記横フレームの右及び左の端部よりも内方側に右及び左の最外側の植付ケースが位置するように、上記横フレームに連設させるのに対し、後者は、当該構成を有しない点、（４）前者は、上記支持フレームを上記横フレームの右側部及び左側部に立設しているのに対し、後者は、上記支持フレームを上記横フレームのどの部分に立設しているのか不明である点、（５）前者は、上記クラッチ機構が、上記伝動軸の動力を上記植付機構に伝達及び遮断自在であって、上記植付ケースの内部に配置されているのに対し、後者は、上記クラッチ機構が、動力を上記伝動軸を介して上記植付機構に伝達及び遮断自在であって、上記植付ケースとは別体に形成されたミッションケースの内部に配置されている点及び（６）前者は、上記クラッチ機構を人為的に操作自在なクラッチ操作具を上記支持フレームに備えてあるのに対し、後者は、上記クラッチ操作具を有していない点で相違する。
　そこで上記相違点について検討する。
　相違点（１）について、田植機の苗植付装置において、苗のせ台にベルト式の縦送り装置を設け、該縦送り装置の下方に植付ケースの前半部を配置することは、周知である（例えば特開平２−２０３７０６号公報参照）。そして刊行物１に記載された発明に上記周知技術を適用すれば、上記相違点（１）に係る本件発明２の構成となることは、明らかである。したがって上記相違点（１）は、上記周知技術に基づいて当業者が容易に想到し得る事項である。
　相違点（２）について、本件発明２と刊行物２に記載された発明を比較すると、刊行物２に記載された発明の「苗載せ台」、「中間伝動ケース」、「植付け爪、椀杆及び揺動杆」、「苗載せ台横送り用伝動ケース」、「植付けミッション」及び「多条植え型式田植機の要部」は、各々、本件発明２の「苗のせ台」、「横フレーム」、「苗を田面に植え付ける植付機構」、「苗のせ台を往復横送り駆動する伝動機構」、「植付ケース」及び「田植機の苗植付装置」に相当する。そして刊行物１に記載された発明と刊行物２に記載された発明は「田植機の苗植付装置」という同一の技術分野に属しているから、前者に後者を適用することは当業者が容易になし得る事項である。してみれば、刊行物１に記載された発明において、相違点（２）に係る本件発明２の構成を採用することは、刊行物２に記載された発明に基づいて当業者が容易に想到し得る事項である。
　相違点（３）について、本件発明２と刊行物３に記載された発明を比較すると、刊行物３に記載された発明の「植付伝動ケース」及び「乗用田植機の植付部」は、各々、本件発明２の「植付ケース」及び「田植機の苗植付装置」に相当する。そして本件発明２の「横フレーム」と刊行物３に記載された発明の上記伝動軸ケースは、複数の上記植付ケースを一体に結合する点で共通している。
　刊行物１に記載された発明と刊行物３に記載された発明は「田植機の苗植付装置」という同一の技術分野に属しているから、前者に後者を適用することは当業者が容易になし得る事項である。してみれば刊行物１に記載された発明において、上記横フレームの右及び左の端部を右及び左の最外側の上記植付ケースよりも外方側に位置させることは、刊行物３に記載された発明に基づいて当業者が容易に想到し得る事項ということができるから、刊行物１に記載された発明において上記相違点（３）に係る本件発明２の構成を採用することは、刊行物３に記載された発明に基づいて当業者が容易に想到し得る事項である。
　相違点（４）について、本件発明２と刊行物５に記載された発明を比較すると、刊行物５に記載された発明の「苗載台」、「苗載台支持フレーム」及び「苗植付部」は、各々、本件発明２の「苗のせ台」、「支持フレーム」及び「田植機の苗植付装置」に相当する。そして、刊行物１に記載された発明と刊行物５に記載された発明は「田植機の苗植付装置」という同一の技術分野に属しているから、前者に後者を適用することは当業者が容易になし得る事項である。してみれば、刊行物１に記載された発明において、相違点（４）に係る本件発明２の構成を採用することは、刊行物５に記載された発明に基づいて当業者が容易に想到し得る事項である。
　相違点（５）及び（６）について、本件発明２と刊行物４に記載された発明を比較すると、刊行物４に記載された発明の「植付機構」、「植付伝動ケース」、「左右一対の支持アーム体」、「苗載せ台」及び「苗植装置」は、各々、本件発明２の「苗を田面に植え付ける植付機構」、「植付ケース」、「支持フレーム」、「苗のせ台」及び「田植機の苗植付装置」に相当する。
　さらに刊行物４に記載された発明の「苗載せ台の中途部を左右一対の支持アーム体に左右摺動自在に支持させ」は、上記苗のせ台を上記支持フレームに左右方向に往復横送り自在に支持させている点で本件発明２の「苗のせ台の上部を支持フレームに左右方向に往復横送り自在に支持させ」に対応する。
　刊行物４に記載された発明の「各植付伝動ケース内に基部が設けられた伝動軸を中間爪軸を介して互いに連結し」は、それによって該伝動軸及び該中間爪軸は前記複数の植付伝動ケースに動力を伝達する、該複数の植付伝動ケースに亘って架設された軸体となるから、本件発明２の「複数の植付ケースに動力を伝達する伝動軸を、・・・複数の植付ケースに亘って架設し」に相当するから、刊行物４に記載された発明の「植付機構に動力伝達するスプロケットに噛合うユニットクラッチ」、「ユニットクラッチを各植付伝動ケースにおける伝動軸に設け」及び「ユニットクラッチを継断する操作レバー」は、各々、本件発明２の「伝動軸の動力を植付機構に伝達及び遮断自在なクラッチ機構」、「クラッチ機構を、・・・植付ケースの内部で、伝動軸の位置に配置してある」及び「クラッチ機構を人為的に操作自在なクラッチ操作具に相当する。さらに刊行物４に記載された発明において、上記操作レバーは上記左右一対の支持アーム体に上記横部材及び上記ブラケットを介して設けられたレバー台に枢支されているから、該操作レバーは上記左右一対の支持アーム体に備えられていると認められる。
　そして、刊行物１に記載された発明と刊行物４に記載された発明は「田植機の苗植付装置」という同一の技術分野に属しているから、前者に後者を適用することは当業者が容易になし得る事項である。したがって、刊行物１に記載された発明において相違点（５）及び（６）に係る本件発明２のようにすることは、刊行物４に記載された発明に基づいて当業者が容易に想到し得る事項である。
　さらに、本件発明２の奏する効果に刊行物１乃至５に記載された発明の奏する効果の総和以上の顕著なものは認められない。
　よって本件発明２は、刊行物１乃至５に記載された発明に基づいて当業者が容易に発明をすることができたものである。
（３）本件発明３について
　本件発明３は、本件発明１又は２において「植付ケースを横フレームに対して直接に取り付けて支持させてある」ことを特徴としたものである。
　本件発明１及び２については上記３−３．（１）及び（２）で夫々検討している。
　そして刊行物１に記載された発明においても、複数の上記植付ケースを上記横フレーム（連結用枠体）に対して直接に取り付けて支持させてある。
　さらに、本件発明３の奏する効果に刊行物１乃至５に記載された発明の奏する効果の総和以上の顕著なものは認められない。
　よって本件発明３は、刊行物１乃至５に記載された発明に基づいて当業者が容易に発明をすることができたものである。
　
３−４．むすび
　以上のとおりであるから、本件発明１乃至３は、特許法第２９条第２項の規定により特許受けることができない。
　したがって、本件発明１乃至３についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月１９日（２００２．３．１９）
【訂正の要旨】
訂正の要旨
（１）訂正事項ａ
　特許請求の範囲の請求項１の「左右方向に沿って横長の横フレーム（７）を配置して、」（本件特許公報（以下、訂正事項ｂ乃至ｉについて同じ）第１欄第２〜３行）を、特許請求の範囲の減縮を目的として
「苗のせ台（２）に設けられたベルト式の縦送り装置（２０）の下方に、左右方向に沿って横長の横フレーム（７）を配置して、」と訂正する。
（２）訂正事項ｂ
　特許請求の範囲の請求項１の「複数の植付ケース（８）を、互いに平行状で後向きに、」（第１欄第５〜６行）を、特許請求の範囲の減縮を目的として
「複数の植付ケース（８）を、前記横フレーム（７）の右及び左の端部よりも内方側に右及び左の最外側の植付ケース（８）が位置し且つ互いに平行状で後向きになるように、」と訂正する。
（３）訂正事項ｃ
　特許請求の範囲の請求項２の「左右方向に沿って横長の横フレーム（７）を配置して、」（第２欄第２〜３行）を、特許請求の範囲の減縮を目的として
「苗のせ台（２）に設けられたベルト式の縦送り装置（２０）の下方に、左右方向に沿って横長の横フレーム（７）を配置して、」と訂正する。
（４）訂正事項ｄ
　特許請求の範囲の請求項２の「複数の植付ケース（８）を、互いに平行状で後向きに、」（第２欄第５〜６行）を、特許請求の範囲の減縮を目的として
「複数の植付ケース（８）を、前記横フレーム（７）の右及び左の端部よりも内方側に右及び左の最外側の植付ケース（８）が位置し且つ互いに平行状で後向きになるように、」と訂正する。
（５）訂正事項ｅ
　明細書の段落【０００６】の「左右方向に沿って横長の横フレームを配置して、」（第４欄第１０行）を、明りょうでない記載の釈明を目的として
「苗のせ台に設けられたベルト式の縦送り装置の下方に、左右方向に沿って横長の横フレームを配置して、」と訂正する。
（６）訂正事項ｆ
　明細書の段落【０００６】の「複数の植付ケースを、互いに平行状で後向きに、」（第４欄第１２〜１３行）を、明りょうでない記載の釈明を目的として
「複数の植付ケースを、横フレームの右及び左の端部よりも内方側に右及び左の最外側の植付ケースが位置し且つ互いに平行状で後向きになるように、」と訂正する。
（７）訂正事項ｇ
　明細書の段落【０００７】の「左右方向に沿って横長の横フレームを配置して、」（第４欄第２１行）を、明りょうでない記載の釈明を目的として
「苗のせ台に設けられたベルト式の縦送り装置の下方に、左右方向に沿って横長の横フレームを配置して、」と訂正する。
（６）訂正事項ｈ
　明細書の段落【０００７】の「複数の植付ケースを、互いに平行状で後向きに、」（第４欄第２３〜２４行）を、明りょうでない記載の釈明を目的として
「複数の植付ケースを、横フレームの右及び左の端部よりも内方側に右及び左の最外側の植付ケースが位置し且つ互いに平行状で後向きになるように、」と訂正する。
（７）訂正事項ｉ
　明細書の【符号の説明】の「１４クラッチ操作具」（第１０欄第３６行）の次に、明りょうでない記載の釈明を目的として
「２０縦送り装置」を加入する。
（５４）【発明の名称】
田植機の苗植付装置
（５７）【特許請求の範囲】
　【請求項１】　
苗のせ台（２）に設けられたベルト式の縦送り装置（２０）の下方に、
　苗を田面に植え付ける植付機構（３）を後部に備えて苗のせ台（２）を往復横送り駆動する伝動機構とは別体に形成された複数の植付ケース（８）を、
前記横フレーム（７）の右及び左の端部よりも内方側に右及び左の最外側の植付ケース（８）が位置し且つ互いに平行状で後向きになるように、
　前記複数の植付ケース（８）に動力を伝達する伝動軸（１０）を、前記横フレーム（７）の外部で前記複数の植付ケース（８）に亘って架設し、
　前記伝動軸（１０）の動力を前記植付機構（３）に伝達及び遮断自在なクラッチ機構（１１）を、前記横フレーム（７）の外部で且つ前記植付ケース（８）の内部で、前記伝動軸（１０）の位置に配置してある田植機の苗植付装置。
　【請求項２】　
苗のせ台（２）に設けられたベルト式の縦送り装置（２０）の下方に、
　苗を田面に植え付ける植付機構（３）を後部に備えて苗のせ台（２）を往復横送り駆動する伝動機構とは別体に形成された複数の植付ケース（８）を、
前記横フレーム（７）の右及び左の端部よりも内方側に右及び左の最外側の植付ケース（８）が位置し且つ互いに平行状で後向きになるように、
　前記横フレーム（７）の右側部及び左側部に支持フレーム（１２）を立設して、前記苗のせ台（２）の上部を前記支持フレーム（１２）に左右方向に往復横送り自在に支持させ、
　前記複数の植付ケース（８）に動力を伝達する伝動軸（１０）を、前記横フレーム（７）の外部で前記複数の植付ケース（８）に亘って架設し、
　前記伝動軸（１０）の動力を前記植付機構（３）に伝達及び遮断自在なクラッチ機構（１１）を、前記横フレーム（７）の外部で且つ前記植付ケース（８）の内部で、前記伝動軸（１０）の位置に配置して、
　前記クラッチ機構（１１）を人為的に操作自在なクラッチ操作具（１４）を、前記支持フレーム（１２）に備えてある田植機の苗植付装置。
　【請求項３】　植付ケース（８）を横フレーム（７）に対して直接に取り付けて支持させてある請求項１又は２記載の田植機の苗植付装置。
【発明の詳細な説明】
　【０００１】
　【産業上の利用分野】
　本発明は、田植機における苗植付装置の全体構成に関する。
　【０００２】
　【従来の技術】
　田植機における苗植付装置の全体構成としては、例えば実開昭６２−９９９１４号公報に開示されているように、田面に苗を植え付ける植付爪（前記公報の第１図中の３）を、植付ケース（前記公報の第１図中の７ａ，７ｂ）の後部に備えて、田植機の植付条数に応じて複数の植付ケースを用意し、複数のパイプ部材（前記公報の第１図中の８ａ，８ｂ）により、複数の植付ケースの間をつなぐように構成して、苗植付装置の全体を構成したものがある。
　【０００３】
　【発明が解決しようとする課題】
　近年では、一つの植付条に複数の植付爪（図１及び図２参照）を備えたロータリ型式の苗植付装置が多くなり、これに伴い苗植付装置の全体の重量が重くなってきている。従って、乗用型の田植機では本体のリンク機構に、苗植付装置の左右中央部が支持される構成なので、前述のように苗植付装置の全体の重量が重くなると、苗植付装置の全体を左右方向に曲げようとする曲げモーメントが大きくなってくる。
　【０００４】
　これに対し前述の実開昭６２−９９９１４号公報のように、複数のパイプ部材により複数の植付ケースの間をつないでいく構成であると、パイプ部材の端面と植付ケースの横面との連結部が、左右方向に沿って多数並ぶ状態（前記公報の第１図参照）となり、苗植付装置の全体を左右方向に曲げようとする曲げモーメントが、パイプ部材の端面と植付ケースの横面との連結部の各々に掛かる状態となるので、苗植付装置の全体の強度の確保と言う面で改善の余地がある。
　【０００５】
　又、パイプ部材の端面と植付ケースの横面との連結部には、組立時に左右方向の連結誤差が発生し易いので、前述の実開昭６２−９９９１４号公報のように、複数のパイプ部材により複数の植付ケースの間をつないでいく構成であると、前述の連結誤差が左右方向に沿って集積されて、左右両側方の植付爪の位置に誤差の発生することがある。
　本発明は田植機の苗植付装置において、苗植付装置の全体の強度を充分に確保し、左右両側方の植付爪の位置の誤差の発生を抑えることを目的としており、植付ケース及び植付機構への伝動系を適切に配置することができるように構成することを目的としている。
　【０００６】
　【課題を解決するための手段】
　本発明の特徴は、田植機の苗植付装置において、次のように構成することにある。
［１］
　
苗のせ台に設けられたベルト式の縦送り装置の下方に、
　苗を田面に植え付ける植付機構を後部に備えて苗のせ台を往復横送り駆動する伝動機構とは別体に形成された複数の植付ケースを、
横フレームの右及び左の端部よりも内方側に右及び左の最外側の植付ケースが位置し且つ互いに平行状で後向きになるように、
　複数の植付ケースに動力を伝達する伝動軸を、横フレームの外部で複数の植付ケースに亘って架設し、
　伝動軸の動力を植付機構に伝達及び遮断自在なクラッチ機構を、横フレームの外部で且つ植付ケースの内部で、伝動軸の位置に配置してある。
　【０００７】
［２］
　
苗のせ台に設けられたベルト式の縦送り装置の下方に、
　苗を田面に植え付ける植付機構を後部に備えて苗のせ台を往復横送り駆動する伝動機構とは別体に形成された複数の植付ケースを、
横フレームの右及び左の端部よりも内方側に右及び左の最外側の植付ケースが位置し且つ互いに平行状で後向きになるように、
　横フレームの右側部及び左側部に支持フレームを立設して、苗のせ台の上部を支持フレームに左右方向に往復横送り自在に支持させ、
　複数の植付ケースに動力を伝達する伝動軸を、横フレームの外部で複数の植付ケースに亘って架設し、
　伝動軸の動力を植付機構に伝達及び遮断自在なクラッチ機構を、横フレームの外部で且つ植付ケースの内部で、伝動の位置に配置して、
　クラッチ機構を人為的に操作自在なクラッチ操作具を、支持フレームに備えてある。
　【０００８】
［３］
　前項［１］又は［２］の構成において、植付ケースを横フレームに対して直接に取り付けて支持させてある。
　【０００９】
　【作用】
［Ｉ］
　請求項１の特徴によると、左右方向に沿って横長の横フレームが配置され、苗を田面に植え付ける植付機構を後部に備えた複数の植付ケースが、互いに平行な状態で、横フレームの外側面に後向きに片持ち状に連設されるので、苗植付装置の全体を左右方向に曲げようとする曲げモーメントが横フレームに掛かる状態となる。
　【００１０】
　この場合、「従来の技術」に記載の実開昭６２−９９９１４号公報の構成のような、パイプ部材の端面と植付ケースの横面との連結部が左右方向に沿って多数並ぶと言う状態は、請求項１の特徴による横フレームには生じないので、苗植付装置の全体を左右方向に曲げようとする曲げモーメントが、横フレームに掛かる状態となっても、横フレームは充分に耐えることができる。
　請求項１の特徴によると、植付ケースは苗のせ台を往復横送り駆動する伝動機構とは別体に形成されたものなので、比較的幅の狭いものとなっており、植付ケースを横フレームに連設する為の部分も比較的幅の狭いものとなる。
　【００１１】
　請求項１の特徴による横フレームにおいて、パイプ部材の端面と植付ケースの横面との連結部が左右方向に沿って多数並ぶと言う状態が生じなければ、パイプ部材の端面と植付ケースの横面との連結部に発生する左右方向の連結誤差が、左右方向に沿って集積されると言う状態は、横フレームには生じないので、前述の連結誤差の集積によって、左右両側方の植付機構の位置に誤差が発生すると言うような状態は生じない。
　【００１２】
［ＩＩ］
　複数の植付ケースへの伝動系を構成する際、「従来の技術」に記載の実開昭６２−９９９１４号公報の構成によると、複数の植付ケースの間をつなぐパイプ部材内に伝動軸を配置して、複数の植付ケースの各々に動力を伝達するように構成されている。
　これにより、パイプ部材の端面と植付ケースの横面との連結及び伝動軸の連結が同一個所で行われることになるので、構造が複雑なものとなり、メンテナンス作業も困難なものとなっている。又、前項［Ｉ］に記載のように苗植付装置の全体を左右方向に曲げようとする曲げモーメントが、パイプ部材に掛かる状態になった場合、前述の曲げモーメントが伝動軸にも掛かる状態となるので、伝動軸の疲労及び伝動軸を支持するベアリング等の磨耗に発展するおそれがある。
　【００１３】
　請求項１の特徴によると、複数の植付ケースへの伝動系を構成する際、複数の植付ケースに動力を伝達する伝動軸が、横フレームの外部で複数の植付ケースに亘って架設されている。
　このように横フレームと植付ケースとの連結、及び植付ケースへの動力伝達を分けることにより、構造が簡素なものとなるのであり、メンテナンス作業も容易なものとなる。又、前項［Ｉ］に記載のように苗植付装置の全体を左右方向に曲げようとする曲げモーメントが、横フレームに掛かる状態となっても、前述の曲げモーメントが伝動軸に直接に掛かることはないので、伝動軸の疲労及び伝動軸を支持するベアリング等の磨耗を避けることができる。
　【００１４】
［ＩＩＩ］
　苗植付装置では一般に、複数の植付機構のうち所望の植付機構を停止させることができる複数のクラッチ機構が備えられており、例えば８条植型式の苗植付装置では、右端の２条分のクラッチ機構を遮断操作し、右端の２条分の植付機構を停止させて、６条分の植付作業を行うことができるように構成されている。
　【００１５】
　請求項１の特徴によると、伝動軸の動力を植付機構に伝達及び遮断自在なクラッチ機構が、横フレームの外部で植付ケースの内部において伝動軸の位置に配置されている。この場合、前項［Ｉ］に記載のように充分な強度を持つ横フレームに、植付ケースが連設されているので、植付ケースの内部における伝動軸の位置にクラッチ機構が配置されていると、植付ケースのクラッチ機構が所定の位置に精度良く配置されることになる。
　以上のように、植付ケースのクラッチ機構が所定の位置に精度良く配置されていると、複数のクラッチ機構に亘り伝動軸を接続した際、クラッチ機構と伝動軸との接続が精度良く行われるので、伝動軸の動力がクラッチ機構から円滑に植付機構に伝達されるのであり、クラッチ機構における伝達状態及び遮断状態への操作が円滑に行われる。
　【００１６】
［ＩＶ］
　請求項２の特徴によると、請求項１の場合と同様に前項［Ｉ］［ＩＩ］［ＩＩ］に記載の「作用」を備えており、これに加えて以下のような「作用」を備えている。
　苗植付装置では、苗のせ台が左右方向に往復横送り駆動されるように支持されており、植付機構が苗のせ台から苗を取り出して田面に植え付けるように構成されている。苗のせ台は横幅及び上下長さが長いものなので、苗のせ台の上部及び下部を左右方向に往復横送り自在に支持する必要があり、苗のせ台の下部は一般に植付ケースに支持されることが多い。
　【００１７】
　請求項２の特徴によると、横フレームの右側部及び左側部に支持フレームが立設され、苗のせ台の上部が支持フレームに左右方向に往復横送り自在に支持されている。これによって、充分な強度を持つ横フレームに立設された支持フレームに、苗のせ台の上部が安定して支持される状態となり、苗のせ台が安定して円滑に左右方向に往復横送り駆動される。
　【００１８】
　請求項２の特徴によると、前項［ＩＩＩ］に記載のクラッチ機構を人為的に操作自在なクラッチ操作具が、支持フレームに備えられている。この場合、前述のように支持フレームが充分な強度を持つ横フレームに立設されているので、クラッチ操作具が横フレーム及び支持フレームにより充分な強度で支持される。
　【００１９】
［Ｖ］
　請求項３の特徴によると、請求項１又は２の場合と同様に前項［Ｉ］〜［ＩＶ］に記載の「作用」を備えており、これに加えて以下のような「作用」を備えている。
　請求項３の特徴によると、植付ケースが横フレームに対して直接に取り付けられて支持されるので、植付ケースの横フレームへの取付構造を簡素に構成することが可能になる。
　【００２０】
　【発明の効果】
　請求項１の特徴によると、田植機の苗植付装置において横フレームの外側面に植付ケースを後向きに片持ち状に連設させることにより、苗植付装置の全体を左右方向に曲げようとする曲げモーメントに対し充分に耐えることができるようになって、苗植付装置の全体の強度を向上させることができた。
　請求項１の特徴によると、植付ケースが苗のせ台を往復横送り駆動する伝動機構とは別体に形成された比較的幅の狭いものとなっており、植付ケースを横フレームに連設する為の部分が比較的幅の狭いものになっているので、横フレームへの植付ケースの連設構造があまり大掛かりなものにならず、構造の簡素化の面で有利なものとなる。
　請求項１の特徴によると、左右方向の連結誤差が左右方向に沿って集積されると言う状態を避けることができ、左右両側方の植付機構の位置を精度良く設定することができるようになった。
　【００２１】
　請求項１の特徴のように、伝動軸を横フレームの外部で複数の植付ケースに亘って架設することにより、横フレームと植付ケースとの連結、及び植付ケースへの動力伝達を分けて、構造の簡素化及びメンテナンス作業の容易化を図ることができた。さらに、苗植付装置の全体を左右方向に曲げようとする曲げモーメントが、伝動軸に直接に掛かることを避けることができるので、伝動軸の疲労及び伝動軸を支持するベアリング等の磨耗を避けることができるようになり、苗植付装置の伝動系の耐久性を向上させることができた。
　【００２２】
　請求項１の特徴によると、伝動軸の動力を植付機構に伝達及び遮断自在なクラッチ機構が所定の位置に精度良く配置され、クラッチ機構と伝動軸との接続が精度良く行われるので、伝動軸の動力がクラッチ機構から円滑に植付機構に伝達され、クラッチ機構における伝達状態及び遮断状態への操作が円滑に行われるようになって、動力の伝動効率を向上させることができた。
　【００２３】
　請求項２の特徴によると、請求項１の場合と同様に前述の請求項１の「発明の効果」を備えており、この「発明の効果」に加えて以下のような「発明の効果」を備えている。
　請求項２の特徴によると、充分な強度を持つ横フレームに立設された支持フレームに、苗のせ台の上部が安定して支持されて、苗のせ台が安定して円滑に左右方向に往復横送り駆動されるようになるので、植付機構が苗のせ台から苗を円滑に取り出して田面に植え付けるようになって、苗植付装置の植付性能を向上させることができた。
　請求項２の特徴によると、クラッチ機構を人為的に操作自在なクラッチ操作具が、横フレーム及び支持フレームにより充分な強度で支持されるようになって、クラッチ操作具の耐久性を向上させることができた。
　【００２４】
　請求項３の特徴によると、請求項１又は２の場合と同様に前述の請求項１又は２の「発明の効果」を備えており、この「発明の効果」に加えて以下のような「発明の効果」を備えている。
　請求項３の特徴のように、植付ケースを横フレームに対して直接に取り付けて支持させることにより、植付ケースの横フレームへの取付構造を簡素に構成することが可能になるので、苗植付装置の全体構成の簡素化及び軽量化を図ることができた。
　【００２５】
　【実施例】
　図１及び図２に示すように、リンク装置１により乗用型の田植機の本体に昇降操作自在に連結される苗植付装置において、一定のストロークで左右方向に往復横送り駆動される苗のせ台２、苗のせ台２の下端部から一株分の苗を取り出して植え付ける８条分の植付爪３、苗植付装置を支持して植付面を整地する接地フロート４等が備えられている。
　【００２６】
　図１，２，３に示すように、リンク装置１のボス部５にローリング自在に伝動ケース６が連結され、左右方向に沿って延出される横長の横フレーム７が伝動ケース６に連結されており、４個の植付ケース８が互いに平行な状態で、横フレーム７の外側面に後向きに片持ち状に取り付けられている。植付ケース８の後部左右に２組のロータリ式の植付爪３が備えられており、田植機の本体の動力取り出し軸に連動する伝動ケース６の入力軸９に，伝動ケース６及び植付ケース８の伝動機構や、横フレーム７の外部で植付ケース８に亘って架設された伝動軸１０により植付爪３を連動させて、植付爪３を駆動するように構成されている。
　【００２７】
　図２に示すように、植付ケース８の内部において伝動軸１０と植付ケース８の伝動機構との間に、公知の定位置停止クラッチと同様な各条クラッチ１１が設けられており、各条クラッチ１１により２条分の植付爪３を停止させることができるように構成されて、畦際での少数条植えを行うことができるように構成されている。
　【００２８】
　図１，２，３に示すように、横フレーム７の右側部及び左側部に支柱１２が立設され、前側斜め上方に傾斜して配置される苗のせ台２に対し、苗のせ台２の背面（前側）に沿って前側斜め上方に傾斜して、支柱１２が配置されている。苗のせ台２の背面に連結されたレール１３を左右方向に移動自在に支持する横ステー１２ａが、両方の支柱１２の上部に亘って設けられており、各条クラッチ１１を各別に操作する操作レバー１４が、２本ずつ支柱１２に備えられている。
　【００２９】
　図４及び図５に示すように、支柱１２の横断面形状が略コ字形に形成され、操作レバー１４を上下揺動自在に支持する支軸１５が、支柱１２の内側に直接に取り付けられており、操作レバー１４と各条クラッチ１１とを接続するレリーズワイヤ１６のアウターワイヤ１６ａに対する受け部材１７が、支柱１２の内側に直接に取り付けられ、レリーズワイヤ１６における操作レバー１４側の部分が、支柱１２の内部に配置されている。支柱１２の側面に形成された逆Ｌ字形の案内孔１８に操作レバー１４を貫通させて、支柱１２が操作レバー１４のガイドに兼用されており、上方の切り位置と下方の入り位置とに操作レバー１４が案内されるように構成されている。
　【００３０】
　図１に示すように、苗のせ台２の左右方向への往復横送り駆動は、伝動ケース６の伝動機構による横送り軸１９の往復駆動により行われるように構成されており、苗のせ台２にベルト式の縦送り装置２０が設けられ、苗のせ台２が往復横送り駆動のストロークエンドに到達する毎に、一定距離だけ苗を取り出し口側に送るように縦送り装置２０が駆動される。
　【００３１】
　図１に示すように、２枚のマット状の苗を縦列に載置する苗のせ台２が屈曲形成されて、下端から縦送り装置２０の上方近くまでの下側部分Ｘが、ストレートで従来よりも緩やかに傾斜（５５度未満）に形成されており、縦送り装置２０に対する苗の滑りによる苗送り不良を防止するように構成されている。苗のせ台２の中間部分Ｙが従来よりも急な傾斜に形成されており、苗の滑りを良くして、確実な苗の連続送りが行われるように構成されている。苗のせ台２の上側部分Ｚが従来と同程度に形成されており、上部の苗の荷重で下部の苗の上端が突かれて浮き上がるような現象が防止されるように構成されており、全体として苗のせ台２の前後寸法Ｌが従来と同程度になるように構成されている。
　【００３２】
［別実施例］
　植付爪３の設置数、各条クラッチ１１の設置数や操作対象となる植付爪３の数は、適当に変更できる。
　操作レバー１４と各条クラッチ１１とをレリーズワイヤ１６で接続する場合、図６及び図７に示すように、別の各条クラッチ１１に接続された２本のレリーズワイヤ１６を２本の操作レバー１４に、連結位置が操作レバー１４の長手方向に異なるように接続し、支柱１２に略Ｆ字形の案内孔２１を形成して、下方の入り位置で両方の各条クラッチ１１が入り状態になり、一段引き上げた外側切り位置で外側の２条分が停止状態になり、二段引き上げた切り位置で両方の各条クラッチ１１が切り状態となるように構成してもよい。つまり、８条分の植付爪３を４個の各条クラッチ１１で操作するように構成し、４個の各条クラッチ１１を２本の操作レバー１４で操作するようにして、８条植え、左右いずれかの６条植え及び左右いずれかの４条植えの５種類の植付形態から、所望の植付形態を選択できるように構成してもよい。
　【００３３】
　支柱１２の横断面形状を略コ字形に形成する場合、図８に示すようなＣ字形に近い形状にするなど適当に変更できる。又、支柱１２の側面の開口部を開放自在な蓋で閉じてもよい。
　図９に示すように、支柱１２の前面に各条クラッチ１１の操作レバー１４を突出させる案内孔２１を形成する形態で実施することもできる。操作レバー１４の支軸１５、及びレリーズワイヤ１６のアウターワイヤ１６ａに対する受け部材１７を支柱１２の内側に直接に取り付ける構造は、適当に変更できる。
　【００３４】
　尚、特許請求の範囲の項に図面との対照を便利にするために符号を記すが、該記入により本発明は添付図面の構成に限定されるものではない。
【図面の簡単な説明】
　【図１】
　乗用型の田植機に連結される苗植付装置の側面図
　【図２】
　苗植付装置の平面図
　【図３】
　苗植付装置の正面図
　【図４】
　図３においてＡ−Ａ方向から見た断面図
　【図５】
　図４においてＢ−Ｂ方向から見た断面図
　【図６】
　別実施例における支柱付近の縦断正面図
　【図７】
　図６においてＣ−Ｃ方向から見た断面図
　【図８】
　別実施例における支柱の横断平面図
　【図９】
　別実施例における支柱及び操作レバー付近の斜視図
　【符号の説明】
　２　　　苗のせ台
　３　　　植付機構
　７　　　横フレーム
　８　　　植付ケース
　１０　　伝動軸
　１１　　クラッチ機構
　１２　　支持フレーム
　１４　　クラッチ操作具
　
２０　　縦送り装置